(57)【要約】【課題】視界が悪い水中においても撮影対象面を撮影することを可能とした水中撮影装置および水中撮影方法を提案する。【解決手段】水中撮影装置１は、撮影対象面を撮影する撮影手段３と、撮影手段３が収容された箱体２と、箱体２の側面に設けられた伸縮筒体４とを備えている。伸縮筒体４の先端は、透明な押付面部４２で遮蔽されており、箱体２に供給された気体または液体の圧力によって伸縮筒体４が伸張する。撮影対象面Ｓを撮影する際は、押付面部４２を撮影対象面Ｓに密着させる。【選択図】図１
2020123787.tif 000002
【特許請求の範囲】
【請求項１】
撮影対象面を撮影する撮影手段と、
前記撮影手段を収容する箱体と、
前記箱体の側面に設けられた伸縮筒体と、を備える水中撮影装置であって、
前記伸縮筒体の先端は、透明な押付面部で遮蔽されており、
前記箱体に供給された気体または液体の圧力によって前記伸縮筒体が伸張することを特徴とする、水中撮影装置。
【請求項２】
収縮時の前記伸縮筒体の前記押付面部を覆う蓋材を備えていることを特徴とする、請求項１に記載の水中撮影装置。
【請求項３】
前記箱体が昇降可能なガイドレールを備えていることを特徴とする、請求項１または請求項２に記載の水中撮影装置。
【請求項４】
請求項１乃至請求項３のいずれか１項に記載の水中撮影装置を利用した水中撮影方法であって、
前記箱体を所定の位置まで吊下ろす作業と、
前記箱体に気体または液体を供給して前記伸縮筒体を伸張させるとともに前記押付面部を前記撮影対象面に密着させる作業と、
前記押付面部を前記撮影対象面に密着させた状態で、前記撮影手段により前記撮影対象面を撮影する作業と、を備えていることを特徴とする、水中撮影方法。
【発明の詳細な説明】
【技術分野】
【０００１】
本発明は、水中撮影装置およびこれを使用した水中撮影方法に関する。
【背景技術】
【０００２】
水中（安定液中や泥水中を含む）の既設構造物等を検査する際に、ダイバーが水中に潜って確認する場合がある。ところが、安定液中や泥水中では、視界が悪く、目視で確認することは困難である。また、狭隘な場所では、ダイバーが潜ることはできない。そのため、既設構造物等の現況を確認するために、水中カメラ（例えば、特許文献１参照）を利用して水中で撮影する場合がある。水中カメラは、地上部から吊り下げた状態で、既設構造物等の外面に沿って移動させながら撮影するのが一般的である。ところが、視界が悪い水中では、水中カメラを使用した場合であっても撮影が困難であった。そのため、特許文献２には、収納ケーシングに収納された撮影手段と、撮影手段と撮影面との間に配置された透明シートとを備える検査装置が開示されている。特許文献２の検査装置は、収納ケーシングと透明シートとで囲まれた空間に清水を充満させて、透明シートを撮影面に接触させた状態で、撮影手段により撮影を行うことで、濁水中（安定液中や泥水中を含む）での撮影面の撮影を可能としている。ところが、特許文献２の検査装置は、検査装置を移動させる際に、透明シートが既設構造物等に接触して破損するおそれがある。透明シートが破損すると、収納ケーシング内に濁水等が入り込んで、撮影ができなくなる。
【先行技術文献】
【特許文献】
【０００３】
【特許文献１】特開２００４−４８３３１号公報
【特許文献２】特開平０５−１９６４２９号公報
【発明の概要】
【発明が解決しようとする課題】
【０００４】
本発明は、視界が悪い水中においても撮影対象面を撮影することを可能とした水中撮影装置および水中撮影方法を提案することを課題とする。
【課題を解決するための手段】
【０００５】
前記課題を解決するために、本発明の水中撮影装置は、撮影対象面を撮影する撮影手段と、前記撮影手段を収容する箱体と、前記箱体の側面に設けられた伸縮筒体とを備えている。前記伸縮筒体の先端は、透明な押付面部で遮蔽されており、前記箱体に供給された気体または液体の圧力によって前記伸縮筒体が伸張する。
また、本発明の水中撮影方法は、前記箱体を所定の位置まで吊下ろす作業と、前記箱体に気体または液体を供給して前記伸縮筒体を伸張させるとともに前記押付面部を前記撮影対象面に密着させる作業と、前記押付面部を前記撮影対象面に密着させた状態で前記撮影手段により前記撮影対象面を撮影する作業とを備えている。
かかる水中撮影装置および水中撮影方法によれば、伸縮筒体を収縮させた状態で箱体を移動させるため、伸縮筒体が他の部材（例えば、既設構造物等）に接触し難い。そのため、伸縮筒体が破損し難い。また、所定の位置において、伸縮筒体を伸張させて、押付面部を撮影対象面に押し付けた状態で撮影を行うため、視界が悪い水中においても撮影対象面を撮影することができる。
【０００６】
なお、収縮時の前記伸縮筒体の前記押付面部を覆う蓋材を備えていてもよい。このようにすれば、箱体の移動時に収縮筒体が他の部材等に接触して破損することをより確実に防止することができる。
また、前記箱体が昇降可能なガイドレールを備えているのが望ましい。このようにすれば、箱体の位置がぶれることを防止することができるとともに、ガイドレールにより反力を確保することでより確実に押付面部を撮影対象面に押し当てることができる。
【発明の効果】
【０００７】
本発明の水中撮影装置および水中撮影方法によれば、伸縮筒体が破損し難い。また、所定の位置において、伸縮筒体を伸張させて、押付面部を撮影対象面に押し付けた状態で撮影を行うため、視界が悪い水中においても撮影対象面を撮影することが可能となる。
【図面の簡単な説明】
【０００８】
【図１】本実施形態に係る水中撮影装置を示す正面図である。
【図２】水中撮影装置を示す断面図である。
【図３】水中撮影装置を示す平面図である。
【図４】水中ポンプを示す図であって、（ａ）は正面図、（ｂ）は側面図である。
【図５】水中撮影装置を利用した撮影状況を示す側面図である。
【発明を実施するための形態】
【０００９】
本実施形態では、構造物の現況を水中において確認する際に、水中撮影装置１（図１参照）を利用して構造物の外面を撮影する場合について説明する。水中において構造物を撮影する目的としては、例えば、既設構造物に連続する地下構造物を構築する場合において、既設構造物の外面に沿って掘削溝を形成し、既設構造物の外面を清掃する際に、外面の清掃状況を確認する場合等がある。また、ダム等の構造物を水中から撮影する場合にも、水中カメラを利用して撮影する場合がある。
構造物の水中撮影に利用する水中撮影装置１は、図１および図２に示すように、箱体２と、撮影手段３と、伸縮筒体４と、蓋材５とを備えている。
【００１０】
箱体２は、鋼製の容器であって、角筒状の本体部２１と、円筒状の筒体取付部２２とを備えている。
本体部２１は、角筒状の鋼管を主体に形成されており、底部が底板２３により遮蔽されている。本体部２１の上端部には、遮蔽蓋２４を固定するためのフランジ２５が形成されている。フランジ２５は、Ｌ型鋼により形成されている。フランジ２５の一方の片は本体部２１の上縁に重ねられた状態で溶接されており、他方の片は側方に張り出している。フランジ２５には、遮蔽蓋２４の縁部に形成された複数のボルト孔に対応するボルト孔が形成されている。遮蔽蓋２４は、フランジ２５に上載した状態で、遮蔽蓋２４およびフランジ２５のボルト孔を挿通させたボルトＢにナットＮを螺着することにより、本体部２１に固定する。なお、本体部２１の上端またはフランジ２５と遮蔽蓋２４との当接部には、シール材またはパッキンが介設するのが望ましい。
【００１１】
遮蔽蓋２４には、本体部２１内へ水や空気等を流体圧送するための圧送ホースＰが接続されている。圧送ホースＰは、遮蔽蓋２４に形成されたホース接続部に接続する。本実施形態では、二つのホース接続部が形成されているが、ホース接続部の数および配置は限定されるものではない。
本体部２１に上部および下部には、それぞれ水抜き孔２６が形成されている。水抜き孔２６には、水抜き孔２６を開閉する開閉弁が設けられている。水抜き孔２６の配置および数は限定されるものではないが、少なくとも上側の水抜き孔２６は撮影手段３よりも上側に配置されていて、下側の水抜き孔２６は底板２３の近傍に形成する。なお、水抜き孔２６は、必要に応じて形成すればよい。
筒体取付部２２は、本体部２１の四つの側面のうちの一つの側面に固定されている。筒体取付部２２は、円筒状の鋼管からなり、本体部２１の内部に連通している。
【００１２】
箱体２は、水中に立設されたガイドレール６に沿って昇降（上下動）可能である。なお、ガイドレール６は、必要に応じて設ければよい。図２および図３に示すように、本実施形態では、ガイドレール６としてＨ形鋼を使用する。ガイドレール６を構成する材料は限定されるものではなく、例えば、溝形鋼であってもよい。箱体２の本体部２１には、筒体取付部２２の反対側の側面に、ガイドレール６に係止される係止部材２７が突設されている。係止部材２７は、鋼材を組み合わせることにより構成されている。係止部材２７は、本体部２１の外面に立設された鋼板からなる一対の連結部２７ａ，２７ａと、連結部２７ａ，２７ａの先端に固定された溝形鋼からなる基部２７ｂと、基部２７ｂの両フランジに固定されたＬ形鋼からなる係止部２７ｃ，２７ｃとを備えている。係止部材２７は、係止部２７ｃをガイドレール６の一方のフランジに係止した状態で、ガイドレール６に沿って摺動する。また、基部２７ｂには、横軸を中心に回転するローラー２７ｄが設けられている。ローラー２７ｄは、ガイドレール６のフランジの表面を走行する。箱体２は、係止部材２７をガイドレール６に係止させた状態で、ガイドレール６に沿って摺動する。なお、係止部材２７の構成は限定されるものではない。
箱体２の上部外面には、ワイヤ係止部２８が形成されている。箱体２は、ワイヤ係止部２８に係止された吊ワイヤＷにより吊持されている。
【００１３】
本体部２１の下面（底板２３の下面）には、図1及び図２に示すように、送水管７が配管されている。送水管７は、地上部に設けられた送水ポンプに接続されていて、送水管７の先端にはノズル７１が設けられている。送水ポンプから供給された水（清水）は、撮影対象物に向けてノズル７１から噴射される。なお、送水管７は、必要に応じて設ければよい。また、送水管７は、必ずしも本体部２１の下側に配管する必要はなく、本体部２１の上側に配管してもよい。また、送水管７の本数は限定されることはなく、２本以上配管されていてもよい。さらに、送水管７には、分岐管を介して複数のノズル７１を設けてもよい。
【００１４】
撮影手段３は、撮影対象面を撮影する、いわゆる水中カメラである。撮影手段３は、箱体２に収容されている。撮影手段３は、箱体２の底板２３に固定された台座３１に取り付けられている。撮影手段３は、筒体取付部２２を通して、箱体２の外部を撮影可能に設けられている。また、撮影手段３は、所定の範囲内において、上下左右に撮影方向を変更可能である。撮影手段３には、地上部から延設されたケーブル３２が接続されている。撮影手段３は、ケーブル３２を介して送信された信号により、撮影のタイミングや、撮影方向の制御等が可能である。なお、撮影手段３は、必ずしもケーブル３２が接続されている必要はなく、無線であってもよい。
【００１５】
伸縮筒体４は、図２および図３に示すように、箱体２の側面に形成された筒体取付部２２に取り付けられている。伸縮筒体４は、筒状の筒体本体４１と、筒体本体４１の先端を遮蔽する透明な押付面部４２とを備えている。筒体本体４１、押付面部４２は、透明かつ軟質なビニールシートにより形成されていて、押付面部４２は筒体本体４１の開口端に固定（溶着または接着）されている。伸縮筒体４（筒体本体４１）の基端部は、筒体取付部２２の外面に固定されている。なお、伸縮筒体４の固定方法は限定されるものではないが、例えば、筒体取付部２２に接着または溶着してもよいし、バンド等の治具４３により固定してもよい。また、伸縮筒体４は、筒体取付部２２の内面側に固定してもよい。伸縮筒体４の筒体本体４１は、軸方向での伸縮が可能であるとともに筒体取付部２２と連通しており、箱体２に供給された気体または液体の圧力によって伸張する。すなわち、伸縮筒体４は、筒体取付部２２の先端部を遮蔽している。
【００１６】
蓋材５は、筒体取付部２２の先端に設けられていて、収縮時の伸縮筒体４の押付面部４２を覆う。蓋材５は、筒体取付部２２に対して、着脱可能に取り付けられている。蓋材５を取り外すことで、伸縮筒体４が露出する。なお、蓋材５は、ヒンジ等を介して、筒体取付部に回動可能に取り付けてもよい。蓋材５には、地上部に至るワイヤー（図示せず）が接続されていて、ワイヤーを引き上げると、蓋材５を筒体取付部２２から取り外すことができる。なお、蓋材５の構成は限定されるものではない。
【００１７】
箱体２の下端には、図４（ａ）および（ｂ）に示すように、撮影対象面を洗浄するための水中ポンプ８が設けられている。水中ポンプ８は、箱体２の下端に固定された枠体８１を介して設ければよい。枠体８１は、鋼材を組み合わせることにより形成されており、左右一対の縦材８２，８２と、一対の縦材８２，８２の上端に横架された横材８３と、一対の縦材８２，８２の下端に固定された底部材８４とを備えている。横材８３の上面には、天板８５が固定されている。天板８５の上面には、箱体２の脚部２９（本実施形態ではＬ形鋼）が固定されている。
水中ポンプ８は、底部材８４の上載されているとともに、一対の縦材８２，８２の中央部に横架された固定バンド８６，８６により前後から保持されている。水中ポンプ８の上部には、前方（撮影対象面側）に向けて水を噴射するノズル８７が形成されている。すなわち、水中ポンプ８は、周囲から取り込んだ水を、ノズル８７から噴射することにより、撮影対象面の清掃を行う。
【００１８】
水中撮影装置１を使用する場合には、まず、地上部において、箱体２の内部に水を充填する。箱体２の内部に注入する水には、水道水等の不純物が含まれない清水を使用する。箱体２の内部に水が充填されたら、上側の水抜き孔２６（図１および図２参照）を開口して、箱体２の内部から水抜き孔２６よりも上側の水を排出する。こうすることで、箱体２の内部には所定の深さの水が貯水された状態となる。水を排水したら、水抜き孔２６を遮蔽する。なお、上側の水抜き孔２６を開口した状態で水を注水してもよい。この場合には、水抜き孔２６からの排水が確認されるまで箱体２の内部に水を注水すればよい。
次に、図５に示すように、構造物の撮影対象面Ｓから所定の間隔をあけてガイドレール６を立設する。ガイドレール６は、鉛直となるように水上から支持してもよいし、水底に下端を当設させた状態で立設させてもよい。ガイドレール６を立設したら、ガイドレール６に沿って箱体２を下降させて、所定の位置まで箱体２を吊下ろす。このとき、水中ポンプ８を利用して、撮影対象面に対して水を噴射して、撮影対象面の清掃を行う。
【００１９】
箱体２を所定の位置まで降ろしたら、蓋材５を筒体取付部２２から取り外して伸縮筒体４を露出させる。続いて、圧送ホースＰを介して箱体２に空気を圧入する。箱体２に空気を圧入すると、伸縮筒体４が伸張する。伸縮筒体４は、押付面部４２が撮影対象面Ｓに密着するまで伸張させる。このとき、ノズル７１から水を噴射して、撮影対象面Ｓを清掃するとともに撮影対象面Ｓの周囲に清水を供給する。
押付面部４２を撮影対象面Ｓに密着させたら、撮影手段３により撮影対象面を撮影する。撮影対象面Ｓの撮影は、撮影手段３の撮影方向を適宜変更させて行うのが望ましい。撮影後、水中撮影装置１（箱体２）を次の場所に移動させて、撮影手段３による撮影を行う。箱体２を移動させる際には、圧送ホースＰを介して箱体２内から排気を行う。箱体２から空気を排気すると、箱体２の周囲の水圧により伸縮筒体４が収縮するため、押付面部４２が撮影対象面Ｓから離間する。箱体２の移動は、押付面部４２を構造物（撮影対象面Ｓ）から離間させた状態で行う。このとき、必要に応じて、蓋材５により伸縮筒体４を覆うとよい。箱体２を所定の位置に配置したら、再び箱体２の内部に空気を圧入して、伸縮筒体４を伸張させて、押付面部４２を撮影対象面に当接させる。
水中撮影装置１による撮影が完了したら、箱体２を回収し、箱体２の下側の水抜き孔２６から排水を行う。
【００２０】
本実施形態の水中撮影装置１によれば、伸縮筒体４を収縮させて、蓋材５で覆った状態で箱体２を移動させるため、伸縮筒体４が他の部材（例えば、構造物等）に接触し難い。そのため、伸縮筒体４が破損し難い。
また、所定の位置において、伸縮筒体４を伸張させて、押付面部４２を撮影対象面に押し付けた状態で撮影を行うため、視界が悪い水中（濁水中）においても撮影対象面を撮影することができる。
また、箱体２をガイドレール６に沿って移動させるため、箱体２の位置決めが容易である。また、箱体２は、ガイドレール６に支持されているため、箱体２の位置がぶれることを防止することができ、高精度に撮影することができる。さらに、ガイドレール６により反力を確保することでより確実に押付面部４２を撮影対象面に押し当てることができる。
箱体２の内部を水で充填するのではなく、空気層が含まれているため、箱体２の内部の圧力を調整することが可能である。すなわち、圧縮空気を箱体２の内部に供給することで、箱体２内の圧力を周囲の圧力（水圧）よりも大きくすることで、伸縮筒体４を伸張させることができる。一方、箱体２の内部への圧縮空気の供給を停止し、気圧を大気圧と同等にすれば、箱体２内の圧力が水位の圧力（水圧）よりも小さくなるため、伸縮筒体４が収縮される。
水中ポンプ８を利用して撮影対象面Ｓを清掃することができるため、撮影対象面Ｓから付着物を除去した状態で撮影することができる。水中ポンプ８は、周囲の水を取り込んで噴射するため、別途水を用意する必要がなく、経済的である。
撮影対象面Ｓに対してノズル７１から水を噴射することが可能なため、撮影対象面Ｓの周囲にきれいな水を供給して、視界を良好にすることが可能である。
水中撮影装置１は、遠隔操作により位置決めおよび撮影が可能なため、作業員が水中に潜って操作する必要がなく、安全性に優れている。
【００２１】
以上、本発明の実施形態について説明したが、本発明は、前述の実施形態に限られず、各構成要素については、本発明の趣旨を逸脱しない範囲で、適宜変更が可能である。
例えば、前記実施形態では、箱体２の下側に水中ポンプ８が配設されている場合について説明したが、水中ポンプ８は、必要に応じて設ければよい。すなわち、撮影対象面Ｓの清掃手段は、水中撮影装置１とは別の装置であってもよい。
また、蓋材５は、必要に応じて設ければよい。例えば、伸縮筒体４が筒体取付部２２に収容される場合や、水中撮影装置１を構造物から十分に離れた位置で移動させる場合などには、蓋材５は省略してもよい。
筒体取付部２２として、本体部２１の側面に円筒状の部材を固定する場合について説明したが、筒体取付部２２の構成は限定されるものではない。筒体取付部２２は、例えば、伸縮筒体４が取り付け可能となるように本体部２１の側面に形成された開口であってもよい。
前記実施形態では、箱体２の内部に水と空気により充填するものとしたが、周囲の水圧に対する箱体２内部の圧力の差を調整することが可能であれば、箱体２の内部の内部に充填する流体は限定されるものではなく、例えば、圧縮空気のみを充填してもよいし、水のみを充填してもよい。
【符号の説明】
【００２２】
１    水中撮影装置
２    箱体
２１  本体部
２２  筒体取付部
３    撮影手段
４    伸縮筒体
４１  筒体本体
４２  押付面部
５    蓋材
６    ガイドレール
７    送水管
Ｓ    撮影対象面
【図１】
2020123787.tif 000003
【図２】
2020123787.tif 000004
【図３】
2020123787.tif 000005
【図４】
2020123787.tif 000006
【図５】
2020123787.tif 000007